(57)【要約】【課題】  防水作業服と靴本体の結合構造を提供する。【解決手段】  本発明の目的は、防水作業服と靴本体の結合構造を提供することである。特に、同じでない素材の防水作業服と靴本体の組合せについての結合構造である。主に作業服のズボン脚部１０の下端の内縁に所定幅の接合ベルト２０が接続される。当該接合ベルト２０は靴本体と同じ素材でなければならない。ズボン脚部１０の下段の内縁において、前記接合ベルト２０から所定のピッチ及び高さの箇所に別途接着剤を塗布して隔離用布テープ３０が貼り付けられる。また、当該隔離用布テープ３０の下縁、接合ベルト２０の上縁との間の間隙箇所に接着剤を塗布して防水テープ４０が貼り付けられる。以上により、本発明の防水作業服と靴本体の結合構造が構成され、前記接合ベルト２０と靴本体は同じ素材を採用して設計が行われる。【選択図】図２
2019206787.tif 000002
【特許請求の範囲】
【請求項１】
防水作業服と、
前記防水作業服のズボン脚部の下端の内縁に、所定幅の接合ベルトにより接続された靴本体と、
を備える防水作業服と靴本体との結合ユニットであって、
前記接合ベルトは前記靴本体と同じ素材であり、
前記作業服のズボン脚部の下端の内縁に前記接合ベルトから所定のピッチ及び高さの箇所に隔離用布テープが貼り付けられ、また前記隔離用布テープと前記接合ベルトとの間の間隙箇所に防水テープが貼り付けられ、
前記靴本体は前記接合ベルトと溶接されており、前記隔離用布テープ及び前記防水テープが隔離かつ遮断されていることを特徴とする防水作業服と靴本体との結合ユニット。
【請求項２】
前記接合ベルトは前記作業服または前記靴本体の色と異なる色の選択が可能であることを特徴とする請求項１に記載の防水作業服と靴本体との結合ユニット。
【請求項３】
前記接合ベルトは所定の文字または図式が付加されることを特徴とする請求項１に記載の防水作業服と靴本体との結合ユニット。
【請求項４】
前記防水テープは前記接合ベルトの上縁と前記隔離用布テープの下縁箇所を覆うことを特徴とする請求項１に記載の防水作業服と靴本体との結合ユニット。
【請求項５】
前記接合ベルト及び前記靴本体はいずれもＰＶＣ素材であることを特徴とする請求項１に記載の防水作業服と靴本体との結合ユニット。
【請求項６】
前記接合ベルト及び前記隔離用布テープはＴＰＵ素材であることを特徴とする請求項１に記載の防水作業服と靴本体との結合ユニット。
【請求項７】
前記接合ベルトは、前記作業服の前記ズボン脚部の下端に縫合されていることを特徴とする請求項１に記載の防水作業服と靴本体との結合ユニット。
【発明の詳細な説明】
【技術分野】
【０００１】
本発明は、防水作業服と靴本体との結合ユニットに関する。特に、同じ素材の防水作業服と靴本体とを組合せた結合ユニットに関する。
【背景技術】
【０００２】
一般的に水産養殖業または渓流釣りなどの活動に用いられる作業服は、通常、サロペットとオーバーシューズとを組み合わせる一体化設計を採用して作られる。このような作業服の防水機能を達成するために、当業者は主にＰＵ（ポリウレタン）などの防水生地または表層が防水生地である複合生地を採用して作業服を製作する。
【０００３】
製作上は大体普通の服装と構造が類似している。すなわち、生地がレイアウトにより複数の所定の形及びサイズの布きれに裁断された後に、それらが裁縫され接合されることで作業服が出来上がる。さらにその接合箇所の内縁に、別途作った防水テープが貼り付けられ、最終的にＰＶＣ（塩化ビニル）などの素材で製作したオーバーシューズが作業服のズボン脚部の箇所に溶接・接合されることにより、完成した防水作業服が出来上がる。
【０００４】
前記防水作業服を見ると、作業服の部分は通常、ポリウレタン素材により製作され、またオーバーシューズはＰＶＣ素材により製作されている。
この両者の素材の特性は異なるため、オーバーシューズと作業服との結合時に最良な強固性の獲得が難しい。
また、ＰＶＣ素材とポリウレタン素材の接触界面での質的変化も生じやすいため、硬化、亀裂の問題が起こる。特に、このような防水作業における脱着の過程においては、両者の接合箇所に引張作用が起こりやすいため、その構造が損なわれたり、分離・離脱したりする。これが着用の耐久性に深刻に影響するため、何とかしてそれを改善する必要がある。
また、このような防水作業服の着用上の快適性を獲得するため、表層がポリウレタン防水生地で内層が綿毛の裏地である複合式防水生地が作業服の製作によく採用されるが、この場合にもやはりＰＶＣ製のオーバーシューズと当該作業服の接合において、異なる素材同士の結合に伴う問題が生じるため、それを改善する必要がある。
これらの先行技術に関する文献としては、例えば特許文献１がある。
【先行技術文献】
【特許文献】
【０００５】
【特許文献１】特開２０１０−０３７７０５号公報
【発明の概要】
【発明が解決しようとする課題】
【０００６】
従来の防水作業服のオーバーシューズと作業服の接合における強固性と質的変化の問題に鑑みて、発明者は特にそれらの問題を解決するように研究開発に着手し、関連産業に取り組んだ長年の経験と技術をもとにして、さらに本発明の結合ユニットを発明するに至った。
【課題を解決するための手段】
【０００７】
本発明はオーバーシューズと作業服のズボン脚部の接合の強固性を獲得するため、主に作業服のズボン脚部の下端の内縁箇所に靴本体と同じ素材の接合ベルトが接続される。
また、作業服のズボン脚部の下段の内縁に前記接合ベルトから所定のピッチ及び高さの箇所に接着剤を別途塗布して隔離用布テープが接着され、また当該隔離用布テープの下縁、接合ベルトの上縁との間の間隙箇所に接着剤を別途塗布して防水テープが貼り付けられる。
【発明の効果】
【０００８】
前記接合ベルトと靴本体とは同じ素材が採用されることにより、接合ベルトを介して靴本体と作業服との強固な結合関係が得られる。
また、隔離用布テープ及び防水テープの隔離・遮断により、靴本体と作業服の溶接時に、接着剤の溢れによる予期せぬ付着現象が生じるのを効果的に避けることができ、生産製造の品質と耐久性を大幅に引き上げることができる。
また、組み合わせる接合ベルトに異なる色を採用すれば、外観上の変化と視覚的質感の向上が可能になる。
【図面の簡単な説明】
【０００９】
【図１】図１は本発明の好適な実施例の全体の外観の斜視図である。
【図２】図２は本発明の好適な実施例の一部分の分解斜視図一である。
【図３】図３は本発明の好適な実施例の一部分の分解斜視図二である。
【図４】図４は本発明の好適な実施例の一部分の斜視図である。
【図５】図５は本発明の好適な実施例の一部分の断面図である。
【図６】図６は本発明の好適な実施例の作業服と靴本体との分解斜視図である。
【図７】図７は本発明の好適な実施例の作業服と靴本体との組合せの斜視図である。
【図８】図８は本発明の好適な実施例の作業服と靴本体との組合せの斜視図である。
【発明を実施するための形態】
【００１０】
本発明の構造、組成、技術手段及び効果達成の方面に関して、図式に合わせて例を挙げながら、さらに具体的に下記のように説明する。
【００１１】
図１〜図８に示すように、本発明は主に防水作業服のズボン脚部とオーバーシューズの接合に関する。
主に作業服のズボン脚部１０の下端の内縁箇所に縫製を採用して所定幅の接合ベルト２０が接続される。当該接合ベルト２０とオーバーシューズの靴本体５０とはいずれも同じＰＶＣ素材でなければならない。また当該接合ベルト２０は作業服またはオーバーシューズの色と異なる任意の色の選択が可能である。
【００１２】
作業服のズボン脚部１０の下段の内縁において前記接合ベルト２０から所定のピッチ及び高さの箇所に接着剤を別途塗布して隔離用布テープ３０が貼り付けられる。当該隔離用布テープ３０はＴＰＵ（熱可塑性ポリウレタン）素材である。
【００１３】
また、当該隔離用布テープ３０と接合ベルト２０との間の間隙箇所に接着剤が塗布されて防水テープ４０が貼り付けられる。当該防水テープ４０は少なくとも前記接合ベルト２０上縁と隔離用布テープ３０の下縁箇所を一部覆い、それにより本発明の防水作業服と靴本体５０の結合構造を構成する。
そのなかで、当該接合ベルト２０は、主にオーバーシューズを溶接結合する用途に使用される。当該隔離用布テープ３０は、オーバーシューズの溶接時に接着剤の注入材料がこぼれることにより作業服を汚す恐れがないようにするものである。
当該防水テープ４０は、防水効果及び構造補強を強化する効果を有する。
【００１４】
前記の構造設計により、前記接合ベルト２０とオーバーシューズの靴本体５０とが同じ素材が採用されることにより、接合ベルト２０を介して靴本体５０と作業服のズボン脚部１０との強固な結合関係が得られる。
また、隔離用布テープ３０及び防水テープ４０の隔離・遮断により、靴本体５０と作業服のズボン脚部１０の溶接時に接着剤の溢れによる予期せぬ付着現象の発生を効果的に避けることができるため、生産製造の品質と耐久性を大幅に引き上げることができる。
【００１５】
また、当該接合ベルト２０は異なる色の選択が可能であることにより、特に防水作業服全体の外観上の変化と視覚的質感の向上が可能になる。
さらに、当該接合ベルト２０に任意の形の文字または図式が付加されることにより、さらに多様な視覚的外観、またはブランドの標章と識別性を持たせることができる。
【００１６】
すなわち、本発明はオーバーシューズと作業服のズボン脚部の接合について設計された結合構造であり、別途接続された接合ベルトと、それに合わせて隔離用布テープ及び防水テープを用いる設計により、防水テープの接合においてもっと強固な効果を実現する。
また、それにより作業服の素材の選定が制約を受けず、従来の作業服とオーバーシューズの接合作業における問題と欠点を解決することができる。
【００１７】
以上、本発明は、全体として確実に好ましい産業上の利用可能性と実用価値を有しており、実に優れ、卓越した革新的設計であることから、ここに特許出願する。
【符号の説明】
【００１８】
１０  ズボン脚部
２０  接合ベルト
３０  隔離用布テープ
４０  防水テープ
５０  靴本体
【図１】
2019206787.tif 000003
【図２】
2019206787.tif 000004
【図３】
2019206787.tif 000005
【図４】
2019206787.tif 000006
【図５】
2019206787.tif 000007
【図６】
2019206787.tif 000008
【図７】
2019206787.tif 000009
【図８】
2019206787.tif 000010